(57)【要約】      （修正有）【課題】長さを自由に調整することが可能で、様々なサイズのトラス構造体を構築することができ、長さが長くなっても直線性が損なわれず、かつ自立性を保持することができるトラス構造体の構築法およびトラス構造体、ならびにこれに使用するトラス構成部材を提供する。【解決手段】複数の挿通孔５，５が均等に配設形成されたプレート４が、所要長さの基材の両端部に一体的に形成された軸部材の複数と、これら複数の軸部材を緊締するための緊締具１０を使用し、直線状に配置された複数の軸部材の、１つ置きづつの軸部材同士１aと１ｃを緊締具１０によって圧縮緊締することによって、トラス構造体に自立性、直線性を付与する。【選択図】        図４
2005023534.tif 000002
【特許請求の範囲】
【請求項１】
複数の挿通孔が均等に配設形成されたプレートが、所要長さの基材の両端部に一体的に形成された軸部材の複数と、これら複数の軸部材を緊締するための緊締具を使用し、
直線状に配置された複数の軸部材の、１つ置きづつの軸部材同士を緊締具によって圧縮緊締することによって、トラス構造体に自立性、直線性を付与することを特徴とするトラス構造体の構築法。
【請求項２】
複数の挿通孔が均等に配設形成されたプレートが、所要長さの基材の両端部に一体的に形成された軸部材の複数と、前記軸部材と略同形状を有し、かつ少なくとも２方向への連結継手を有するジョイント部材の複数と、これらを緊締するための緊締具を使用し、
前記軸部材とジョイント部材を交互に直線状に配置し、ジョイント部材を挟んだ軸部材同士を緊締具によって圧縮緊締することによって、トラス構造体に自立性、直線性を付与すること
を特徴とするトラス構造体の構築法。
【請求項３】
複数の挿通孔が均等に配設形成されたプレートが、所要長さの基材の両端部に一体的に形成された軸部材の複数と、これら複数の軸部材を緊締するための緊締具から構成され、
直線状に配置された複数の軸部材の、１つ置きづつの軸部材同士を緊締具によって圧縮緊締することによって、自立性、直線性が付与されたこと
を特徴とするトラス構造体。
【請求項４】
複数の挿通孔が均等に配設形成されたプレートが、所要長さの基材の両端部に一体的に形成された軸部材の複数と、前記軸部材と同形状を有し、かつ少なくとも２方向への連結継手を有するジョイント部材の複数と、これら軸部材とジョイント部材を相互に緊締するための緊締具から構成され、
前記軸部材とジョイント部材を交互に直線状に配置し、ジョイント部材を挟んだ軸部材同士を緊締具によって圧縮緊締することによって、自立性、直線性が付与されたこと
を特徴とするトラス構造体。
【請求項５】
複数の挿通孔が均等に配設形成されたプレートが、所要長さの基材の両端部に一体的に形成された軸部材の複数と、
直線状に配置された複数の軸部材の、１つ置きづつの軸部材同士を圧縮緊締する緊締具からなること
を特徴とするトラス構成部材。
【請求項６】
複数の挿通孔が均等に配設形成されたプレートが、所要長さの基材の両端部に一体的に形成された軸部材の複数と、
前記軸部材と同形状を有し、かつ少なくとも２方向への連結継手を有するジョイント部材の複数と、
前記軸部材とジョイント部材を交互に直線状に配置し、ジョイント部材を挟んだ軸部材同士を圧縮緊締する緊締具からなること
を特徴とするトラス構成部材。
【請求項７】
前記基材は、
軸方向に荷重される緊締圧に対し、座屈しない強度を有するものであること
を特徴とする請求項１〜６のいずれかに記載のトラス構成部材。
【請求項８】
前記緊締具は、
両端部にネジ部を有するＰＣ鋼棒と、前記ネジ部と係合する一対のナットからなること
を特徴とする請求項１〜７のいずれかに記載のトラス構成部材。
【発明の詳細な説明】
【０００１】
【発明の属する技術分野】
この発明は、照明設備や音響設備などの舞台装置を装着するためのトラス構造体の構築法およびトラス構造体、ならびにこれに使用するトラス構成部材に関するものである。
【０００２】
【従来の技術】
屋内スタジアム、体育館や武道館、さらには屋外コンサート会場など、大施設において催されるコンサートなどの演奏舞台には、照明設備や舞台セットなどの舞台装置が、演出効果を高めるための重要な要素であるが、これらの大施設などは、初めからコンサート会場として設計されていないため、コンサートに合せてその都度演奏舞台を造り、舞台上に照明設備や舞台セットなどの舞台装置を構築しなければならない。
【０００３】
このような照明設備や舞台セットなどの舞台装置を、コンサートの演奏舞台に設置するには、舞台を囲んで複数の柱を建て、この柱間に、トラス構造を組み合わせて構成した横梁（以下、単にトラスという。）を架設し、このトラスに複数の照明設備や舞台セットなどの舞台装置を吊下げることは、たとえば、特開平８−２９４５８４号公報（特許文献１）で開示されている。
【０００４】
この特許文献１に記載の舞台装置におけるトラスは、同文献の図２に示されるように、複数の照明設備や舞台セットなどの舞台装置を吊着するためのトラスは両端部に固定部材が取付けられ、この固定部材に角錐状に配設した４本の連結補助部材が突出され、それぞれの先端部で、自在継手からなるトラス連結装置を介して他のトラス体の端部と一体に連結される構造のもので、一つのトラスの端部を、他のトラスの端部とをトラス連結装置により連結して複数のトラス間を屈曲自在としたものである。
【０００５】
一方、特開平１０−２８０５３０号公報（特許文献２）においては、トラス構造体の強度を増大させ、鉛直方向の荷重に対して十分耐え得るようにするため、外周面に複数個の連結溝が形成されたハブと、これら連結溝に端部が嵌合されたフレーム部材によって上面部と下面部をそれぞれ形成してなるダブルレイヤー式立体トラス構造体において、前記上面部を形成するハブと前記下面部を形成するハブを、上面部と下面部を連結する棒状のハブ連結体の両端部に、一体または一体的にそれぞれ設けたトラス用ハブとし、前記ハブ連結体の上面部と下面部のトラス格点を連結し、ラチス材として機能させ、前記ハブの周面に設けた連結溝にフレーム部材６接続端部を圧入し、トラス構造体を構成することが開示されている。
【０００６】
【特許文献１】
特開平８−２９４５８４号公報（発明の詳細な説明の００１９段落）
【特許文献２】
特開平１０−２８０５３０号公報（特許請求の範囲）
【０００７】
【発明が解決しようとする課題】
前記特許文献１又は２に記載のトラス構造体は、いずれも所要長さの弦材を方形に配置し、各弦材の所要部位を、水平な連結アームならびに斜材を使用して一体的に連結して構成したものであるので、あらかじめその長さが一定されているので、使用する場所の大きさに合わせて正確な寸法のもとに製作する必要があるとともに、互いに連結金具などを使用して連結した場合、強度に問題がある。
【０００８】
特に、複数の照明設備や舞台セットなどの舞台装置を吊下げる仮設用トラス構造体に使用される弦材は、高さが２０ｍほどになることもあり、強度的な問題があるとともに、取扱いが容易ではなく、既存のアルミ合金製の弦材は、押出成型の溶接方式のみで、パーツ毎の交換性に乏しいなど実用上解決すべき多くの課題を有している。
【０００９】
この発明はかかる現状に鑑み、トラス構造体の構築に際し、長さを自由に調整することが可能で、様々なサイズのトラス構造体を構築することができ、長さが長くなっても直線性が損なわれず、かつ自立性を保持することができ、トラス構造体の部品点数を大幅に削減し、しかもトラス構造体の構築および分解を容易に行うことができる、トラス構造体の構築法およびトラス構造体、ならびにこれに使用するトラス構成部材を提供せんとするものである。
【００１０】
【課題を解決する手段】
前記の目的を達成するため、この発明の請求項１に記載の発明は、
複数の挿通孔が均等に配設形成されたプレートが、所要長さの基材の両端部に一体的に形成された軸部材の複数と、これら複数の軸部材を緊締するための緊締具を使用し、
直線状に配置された複数の軸部材の、１つ置きづつの軸部材同士を緊締具によって圧縮緊締することによって、トラス構造体に自立性、直線性を付与することを特徴とするトラス構造体の構築法である。
【００１１】
また、この発明の請求項２に記載の発明は、
複数の挿通孔が均等に配設形成されたプレートが、所要長さの基材の両端部に一体的に形成された軸部材の複数と、前記軸部材と略同形状を有し、かつ少なくとも２方向への連結継手を有するジョイント部材の複数と、これらを緊締するための緊締具を使用し、
前記軸部材とジョイント部材を交互に直線状に配置し、ジョイント部材を挟んだ軸部材同士を緊締具によって圧縮緊締することによって、トラス構造体に自立性、直線性を付与すること
を特徴とするトラス構造体の構築法である。
【００１２】
また、この発明の請求項３に記載の発明は、
複数の挿通孔が均等に配設形成されたプレートが、所要長さの基材の両端部に一体的に形成された軸部材の複数と、これら複数の軸部材を緊締するための緊締具から構成され、
直線状に配置された複数の軸部材の、１つ置きづつの軸部材同士を緊締具によって圧縮緊締することによって、自立性、直線性が付与されたこと
を特徴とするトラス構造体である。
【００１３】
また、この発明の請求項４に記載の発明は、
複数の挿通孔が均等に配設形成されたプレートが、所要長さの基材の両端部に一体的に形成された軸部材の複数と、前記軸部材と略同形状を有し、かつ少なくとも２方向への連結継手を有するジョイント部材の複数と、これら軸部材とジョイント部材を相互に緊締するための緊締具から構成され、
前記軸部材とジョイント部材を交互に直線状に配置し、ジョイント部材を挟んだ軸部材同士を緊締具によって圧縮緊締することによって、自立性、直線性が付与されたこと
を特徴とするトラス構造体である。
【００１４】
また、この発明の請求項５に記載の発明は、
複数の挿通孔が均等に配設形成されたプレートが、所要長さの基材の両端部に一体的に形成された軸部材の複数と、
直線状に配置された複数の軸部材の、１つ置きづつの軸部材同士を圧縮緊締する緊締具からなること
を特徴とするトラス構成部材である。
【００１５】
また、この発明の請求項６に記載の発明は、
複数の挿通孔が均等に配設形成されたプレートが、所要長さの基材の両端部に一体的に形成された軸部材の複数と、
前記軸部材と略同形状を有し、かつ少なくとも２方向への連結継手を有するジョイント部材の複数と、
前記軸部材とジョイント部材を交互に直線状に配置し、ジョイント部材を挟んだ軸部材同士を圧縮緊締する緊締具からなること
を特徴とするトラス構成部材である。
【００１６】
さらに、この発明の請求項７に記載の発明は、
請求項１〜６のいずれかに記載のトラス構成部材において、
前記基材は、
軸方向に荷重される緊締圧に対し、座屈しない強度を有するものであること
を特徴とするものである。
【００１７】
さらにまた、この発明の請求項８に記載の発明は、
請求項１〜７のいずれかに記載のトラス構成部材において、
前記緊締具は、
両端部にネジ部を有するＰＣ鋼棒と、前記ネジ部と係合する一対のナットからなること
を特徴とするものである。
【００１８】
【発明の実施の形態】
以下、この発明を添付の図面に基づいて具体的に説明するが、この発明は、添付図面に示される実施の形態にのみ限定されるものではなく、この発明の要旨を変更しない範囲内において、種々変更を加えることができるものである。
【００１９】
この発明において、トラス構造体を構成する部材は、基本的には、基材の両端部にプレートが一体的に付設され、かつ前記プレートに複数の挿通孔が均等に配置形成された軸部材の複数と、直線状に配置された軸部材を圧縮緊締するための緊締具とから構成されるものである。
【００２０】
この軸部材１は、図１ないし図２に示すように、たとえば、横断面形状が十字状のアルミ合金製の基材２からなるもので、その両端部には、４つの突出部３，３・・・の先端面で形成される径と同径の外径を有するプレート４，５が、それぞれ一体的に形成されたものである。
【００２１】
前記プレート４，５には、それぞれ後述するＰＣ鋼棒１２を挿通させるための挿通孔６が４つ均等に配置されたもので、前記基材２の長さ方向の中央部には、隣接する突出部３，３同士を相互に連結する板状の補強リブ７が一体的に形成されている。
【００２２】
図１ないし図２に示す軸部材１は、長さが８００〜１０００ｍｍ、各突出部３の板状部の厚みが５ｍｍ、プレート４，５の外径を１００ｍｍ、厚みが１５ｍｍ程度を基本に設定されたものであるが、その長さは、長すぎると取扱いが容易ではなく、短すぎる場合には接続作業が増えるので、取扱いや組立て・分解作業の容易性などを考慮すると、７００〜１８００ｍｍ程度の長さとすることが好ましい。
【００２３】
この軸部材１の製造方法や素材については特段の制限はなく、その断面の形状は中空あるいは中実であってもよいが、要は、直線状に配置して両端部から軸方向に圧縮緊締した場合、用途や全長、径、断面形状などの条件を考慮し、座屈しない強度、換言すると、力学的に必要とされる最小断面以上のものとすること、がこの発明では求められる。
【００２４】
前記緊締具１０は、図３に示すように、両端部にネジ部１１，１１が形成されたＰＣ鋼棒１２と、ナット１４，１４とからなるもので、使用に際してはワッシャー１３を用いるが、この緊締具１０は、直線状に配置された複数の軸部材１，１，１同士を一体的に連結する場合、一つ置きの軸部材同士を連結するため、その長さは、前記軸部材１の長さよりも長く設定するものである。
【００２５】
かかる軸部材１と緊締具１０とを使用して、図７に示すトラス構造体２０を構成する支柱２１を形成する場合には、図４に示すように、軸部材１ａ，１ｂ，１ｃ・・・のプレート同士を当接させなら直線状に配置し、たとえば、軸部材１ａのプレートに形成された挿通孔６から、それぞれＰＣ鋼棒１２の一端部を挿通し、その先端部を当接する軸部材１ｂの挿通孔を貫通させ、さらに軸部材１ｃのプレートの表面に突出させたのち、ＰＣ鋼棒１２の各ネジ部１２，１２にワッシャー１３，１３を嵌挿し、それぞれナット１４を係合させ、トルクレンチなどを使用して各ナット１４，１４を均等に締付け、軸部材１ｂに所定の荷重（トン級）を掛けながら圧縮緊締することによって、３つの軸部材１ａ，１ｂ，１ｃを互いに固着し、同様の方法で、他の軸部材１，１・・・も順次圧縮緊締して所要の長さに連結し、支柱２１自体に直線性および自立性を付与するものである。
【００２６】
かくして得た支柱２１は、平面視が三角形ないし矩形状となるようそれぞれ配置し、所要の部位の軸部材に連結金具を固着し、各支柱２１，２１間を斜材などを使用して、常法にしたがって連結してトラス構造体を構築するものである。
【００２７】
前記の軸部材１ａ，１ｂ，１ｃの連結に際し、緊締具１０は、両端部にネジ部１１，１１を有するＰＣ鋼棒１２を使用しているが、軸方向に均等な荷重を付与することができるものであれば、その形状については特段の限定はない。
【００２８】
図５に示す実施の形態は、前記第１の実施の形態が、すべて同一形状の軸部材１，１・・・を使用してトラス構造体を構成しているのに対し、トラス構造体を構築するに際し、前後又は左右方向において相対する支柱同士を、水平に連結する斜材（図示せず）で、あるいは筋違い用斜材２２で、より簡単に連結することができるように構成されたものである。
【００２９】
すなわち、図５においては、前記構成の軸部材１，１・・・の間に、それぞれジョイント部材３０を介在させて支柱を構成するもので、その形状や材質は、基本的には軸部材１とほぼ同じであるが、長さは１３０〜２００ｍｍ程度と軸部材１よりも短く設定され、十字状の突出部が形成された基材３１の外周部、実質的には特定の突出部の先端面に、少なくとも２方向、たとえば上下方向にそれぞれ４５度の角度、に延出する連結継手３２，３３を一体的に形成したもので、両方向からの応力が集中する基材３１の中心部に設けられる補強リブ３４は、端部に一体的に形成されるプレート３５の厚みより厚く形成されている点で、両者は異なるものである。
【００３０】
なお、前記連結継手３２，３３の先端部には、通常のボルト、ナットからなる緊締具で、それぞれ斜材等を連結するための連結孔３２ａ，３３ａが形成されているもので、使用する斜材の長さ、形状、材質などには特段の制限はなく、また、ジョイント部材３０に一体的に付設される連結継手の取付け位置、延出させる方向と角度、その数についても、使用する部位に応じて適宜選択して設けることができるものである。
【００３１】
かかる軸部材１ａと１ｂ、およびジョイント部材３０を使用して支柱を構成するには、図５で明らかなように、３部材間に共通させてＰＣ鋼棒１２を嵌挿し、前記実施の形態と同様に、各ネジ部１１にそれぞれワッシャー１３を係合させ、しかるのち、各ネジ部１１にナット１４を係合させ、トルクレンチなどを使用して各ナット１４，１４を均等に締付け、ジョイント部材３０に所定の荷重（トン級）を掛けながら圧縮緊締することによって、２つの軸部材１ａ，１ｂとジョイント部材３０を互いに固着し、同様の方法で、２つの軸部材１，１間にジョイント部材３０を挟んだ状態で順次圧縮緊締して所要の長さに連結し、支柱２１に直線性および自立性を付与するものである。
【００３２】
なお、この実施の形態においては、軸部材とジョイント部材とで１０００ｍｍ前後の長さとすることが作業性などの点から好ましく、また、各軸部材は基材の径を変えることによって、トラス構造体の自立できる長さを長くすることができる。
【００３３】
【発明の効果】
この発明において、第１のトラス構成部材は、複数の挿通孔が均等に配設形成されたプレートが、基材の両端部に一体的に形成された所要長さの軸部材の複数と、直線状に配置された複数の軸部材の、１つ置きづつの軸部材同士を圧縮緊締する緊締具からなるもので、軸部材を連結するだけで、トラス構造体の長さを自在に設定することができ、部品点数の削減と搬送などの際の取扱いを容易にし、しかも簡単かつ容易にトラス構造体を構築することができ、しかも軸部材を比較的短く設定することによって、パーツ毎の交換も容易となる。
【００３４】
特に、この発明においては、直線状に配置された複数の軸部材の、１つ置きづつの軸部材同士を圧縮緊締して支柱を得ることができるため、得られたトラス構造体用の支柱は、自立性や直線性が付与されているので、安定したトラス構造体を得ることができるとともに、トラス構造体の構成部材以外の建築用部材としても利用することができるものである。
【００３５】
また、この発明の第２のトラス構成部材は、前記の効果に加え、斜材とを取付けて支柱同士を一体的に結合するためのジョイント部材を有するので、トラス構造体を簡単かつ容易に構築することができる。
【００３６】
また、この発明のトラス構造体は、前記の作用効果を奏するトラス構成部材で構成されているので、得られたトラス構造体は、自立性に富み、直線性が保持されるので、補強部材の使用を最小限度に抑えることができ、照明装置や音響装置などの舞台装置を安定して保持することができる。
【００３７】
さらに、この発明のトラス構造体の構築法は、前記のトラス構成部材を使用するので、いかなるサイズのトラス構造体も簡単かつ容易に構築することができ、工期の短縮やコストダウンにも効果を奏するなど実用上多大の利点を有するものである。
【図面の簡単な説明】
【図１】この発明にかかるトラス構成部材の軸部材の側面図である。
【図２】図１の軸部材の横断面図である。
【図３】この発明にかかるトラス構成部材の緊締具を示す説明図である。
【図４】この発明のトラス構造体の一例を示す概略説明図である。
【図５】この発明にかかるトラス構造体の他の例を示す概略説明図である。
【図６】図５に示すトラス構造体に使用するジョイント部材の平面図である。
【図７】この発明のトラス構成部材を使用したトラス構造体の概略説明図である。
【符号の説明】
１          軸部材
２          基材
３，４      プレート
５          挿通孔
１０        緊締具
１１        ネジ部
１２        ＰＣ鋼棒
１４        ナット
２０        トラス構造体
２１        支柱
３０        ジョイント部材
【図１】
2005023534.tif 000003
【図２】
2005023534.tif 000004
【図３】
2005023534.tif 000005
【図４】
2005023534.tif 000006
【図５】
2005023534.tif 000007
【図６】
2005023534.tif 000008
【図７】
2005023534.tif 000009